(57)【特許請求の範囲】
【請求項１】
ハンドルと、
ハンドル内に軸方向に配置された、第一のモータ端末が陽極の入力を受け、第二のモータ端末が陰極の入力を受けるか、または第一のモータ端末が陰極の入力を受け、第二のモータ端末が陽極の入力を受けるかによってその回転方向が変わるモータシャフトを備え、ハンドル内に積載された二方向電気モータと、
ハンドル内に包含される電源と、
モータと電源との間で電気的に結合し、モータに供給された電気エネルギーの極性を逆転するために設置され、第一の位置にある時はモータシャフトは第一方向に回転し、第二の位置にある時はモータシャフトが第二方向に回転する多位置電気逆転スイッチと、
ハンドルの末端部に回転可能に設置され機械的にモータシャフトと結合した回転ブラシと、
回転ブラシに対して横方向に延び、歯冠間に挟む出っ張りとして機能し、上歯を磨くために回転ブラシを反時計回りに回し、下歯を磨くために回転ブラシを時計回りに回すレッジを有し、少なくとも第一および第二の位置の間で作動可能であり、多位置電気逆転スイッチを第一と第二の位置の間でそれぞれ作動させるとともに、回転ブラシと隣接して配置されているため、電気歯ブラシが上歯を磨くために上歯と隣接すると前記レッジが上歯の歯冠と接触し、第一の位置に移動してモータシャフトを第一方向に回転させ、電気歯ブラシが下歯を磨くために下歯と隣接すると前記レッジが下歯の歯冠と接触し、第二の位置に移動してモータシャフトを第二の方向に回転させる、多位置電気逆転スイッチと連結された方向制御器と
から成ることを特徴とする電気歯ブラシ。
【請求項２】
多位置電気逆転スイッチが、モータが電源から切り離される中立位置を備え、また、方向制御器が、方向制御器が中立位置に移動するとモータが電源が切り離されされる中立位置を備えることを特徴とする請求の範囲１に記載の電気歯ブラシ。
【請求項３】
ハンドルがブラシガードを備え、電気歯ブラシが口に挿入され歯磨きのために設置された時、回転ブラシが口の内側部分に接触することを防ぐために回転ブラシに隣接および一部を被覆させることを特徴とする請求の範囲１に記載の電気歯ブラシ。
【請求項４】
ブラシガードが、回転ブラシの回転を支持し、回転ブラシが回転ブラシ駆動シャフトの周囲を回転することを維持するための、回転ブラシ駆動シャフトを通す軸受表面を含むブラシガード端部を備えることを特徴とする請求の範囲３に記載の電気歯ブラシ。
【請求項５】
モータシャフトに対する回転ブラシの回転速度を減じトルクを増加するためのギア比率を有し、モータシャフトと回転ブラシ間を連結するギア組立体を備えることを特徴とする、請求の範囲４に記載の電気歯ブラシ。
【請求項６】
ハンドルと、
ハンドル内に積載された逆転可能なモータと、
ハンドルから伸張したブラシガードおよび柄と、
ブラシガードおよび柄内に、回転軸の外周を回転可能に設置され、一端部がモータに接続された回転ブラシ駆動シャフトと、
回転軸の外周を回転するために、回転ブラシ駆動シャフトの他端部に設置された回転ブラシと、
回転ブラシに対して横方向に延び、歯冠間に挟む出っ張りとして機能し、上歯を磨くために回転ブラシを反時計回りに回し、下歯を磨くために回転ブラシを時計回りに回すレッジを有し、モータに電気的に結合されモータの回転を逆転させるために適用され、レッジが上歯の歯冠に接触するように動かされるとブラシが第一方向に回転し、レッジが下歯の歯冠に接触するように動かされるとブラシが第一方向とは逆の第二方向に回転する、回転ブラシに隣接して移動可能に配置された方向制御器と
を備えることを特徴とする電気歯ブラシ。
【請求項７】
ブラシガードおよび柄が回転ブラシ駆動シャフトを通す軸受表面を含むブラシガード端部を備えるとともに、回転ブラシ駆動シャフトがブラシガード端部にジャーナルされて回転ブラシの回転を支持し、回転ブラシが回転軸の周囲を回転するのを維持することを特徴とする請求の範囲６に記載の電気歯ブラシ。
【請求項８】
モータと回転ブラシ駆動シャフトとの間に結合されたギア組立体を備えることを特徴とする請求の範囲６に記載の電気歯ブラシ。
【請求項９】
ギア組立体が、モータに対する回転ブラシ駆動シャフトの速度を減じトルクを増加するためのギア装置を備えることを特徴とする請求の範囲８に記載の電気歯ブラシ。
【請求項１０】
方向制御器が、ブラシガードおよび柄内でブラシガードとモータとの間を伸張し、また、回転ブラシ駆動シャフトを受容する空洞部を有することを特徴とする請求の範囲９に記載の電気歯ブラシ。
【請求項１１】
ハンドルと、
ハンドル内に設置された二方向電気モータと、
二方向電気モータに電力を供給する電気エネルギー手段と、
二方向電気モータを電気エネルギー手段に逆転可能に結合する切替手段と、
二方向電気モータに結合した駆動シャフト手段と、
回転軸の外周を回転するために駆動シャフト手段に結合した回転ブラシ手段と、
回転ブラシに対して横方向に延び、歯冠間に挟む出っ張りとして機能し、上歯を磨くために回転ブラシを反時計回りに回し、下歯を磨くために回転ブラシを時計回りに回すレッジを有し、二方向電気モータの回転方向および回転ブラシ手段の回転を制御するために切替手段に結合され、さらに、上歯に接触するように動かされると回転ブラシ手段を第一方向に回転させ、下歯に接触するように動かされると回転ブラシ手段を第二方向に回転させる方向手段と
を備えることを特徴とする電気歯ブラシ。
【請求項１２】
二方向電気モータに対する駆動シャフト手段の減速とトルクの増加のために、駆動シャフト手段と二方向電気モータとの間に結合したギア手段を備えることを特徴とする請求の範囲１１に記載の電気歯ブラシ。
【請求項１３】
ハンドルと、
ハンドル内に積載されたモータと、
ハンドルから伸張したブラシガードおよび柄と、
ブラシガードおよび柄内に、回転軸の外周を回転可能に積載されるとともに、モータに結合された回転ブラシ駆動シャフトと、
回転ブラシ駆動シャフトの回転方向を変更する方向変更手段と、
回転軸の外周を回転するために回転ブラシ駆動シャフトの他端部に積載された回転ブラシと、
回転ブラシに対して横方向に延び、歯冠間に挟む出っ張りとして機能し、上歯を磨くために回転ブラシを反時計回りに回し、下歯を磨くために回転ブラシを時計回りに回すレッジを有し、モータに電気的に結合されモータの回転を逆転させるために適用され、レッジが上歯の歯冠に接触するように動かされるとブラシが第一方向に回転し、レッジが下歯の歯冠に接触するように動かされるとブラシが第一方向とは逆の第二方向に回転する、回転ブラシに隣接して移動可能に配置された方向制御器と
を備えることを特徴とする電気歯ブラシ。
【請求項１４】
ブラシガードおよび柄が、回転ブラシ駆動シャフトを通す軸受表面を含むブラシガード端部を有し、回転ブラシ駆動シャフトが当該ブラシガード端部にジャーナルされて回転ブラシの回転を支持し、回転ブラシが回転軸の外周を回転するのを維持することを特徴とする請求の範囲１３に記載の電気歯ブラシ。
【請求項１５】
モータと回転ブラシ駆動シャフトとの間で結合するギア組立体を備えることを特徴とする請求の範囲１３に記載の電気歯ブラシ。
【請求項１６】
ギア組立体が、モータに対する回転ブラシ駆動シャフトの減速およびトルクの増加のためのギア装置を備えることを特徴とする請求の範囲１５に記載の電気歯ブラシ。
【請求項１７】
方向制御器が、ブラシガードおよび柄内でブラシガードとモータとの間で伸張するとともに、空洞部を備えてそれを貫通する回転ブラシ駆動シャフトを受容することを特徴とする請求の範囲１６に記載の電気歯ブラシ。
【請求項１８】
方向変更手段が、回転ブラシ駆動シャフトの回転方向を逆転させる後退ギアを備えることを特徴とする請求の範囲１３に記載の電気歯ブラシ。
【請求項１９】
方向変更手段が、方向制御器により作動することを特徴とする請求の範囲１８に記載の電気歯ブラシ。
【発明の詳細な説明】
本発明は、電気歯ブラシ、特に、ブラシの回転方向が上下どちらの歯を磨くかにより、歯や歯肉上の食物残骸を歯肉から除去する方向に磨くように自動的に制御できる電気回転ブラシからなる歯ブラシに関する。
歯科によると、正しい歯磨き法は、歯ブラシを押して剛毛側を歯肉にあて、歯ブラシを歯肉から歯の方向に動かすことである。この方法により、歯や歯肉上の如何なる食物残留物やかすも歯肉から除去される。もし、歯ブラシの動きが逆転し歯から歯肉の方向になると、食物残留物やかすが不要な歯垢となって歯肉と歯の間の溝に入り込む。
現在使用されているほとんどの電気歯ブラシは、ショートアークを介して歯ブラシの長尺軸線を往復運動する剛毛部分を有する。この往復運動は、歯を部分的に研磨するにはかなり効果的であるが、歯肉線周辺や頬に隣接する歯肉部分等には不適である。回転ブラシは、往復ブラシよりは良いと認知されているが、回転ブラシも歯ブラシとして使用するには適さない不都合な点が多くある。例えば、一方向のみに回転する回転ブラシは、ブラシが歯肉の方向に回転する際に、歯と歯肉線の間に食物粒子および残留物が入りやすい。
これまでブラシの回転方向を制御するモータ回転歯ブラシを製造する試みがなされてきた。しかしながら、それらすべての器具が、使用者が指や手で口の外部で作動する切替装置を利用したものであった。
例えば、グリンの米国特許第２，２７９，９８２号明細書にて開示された歯ブラシは、ブラシの回転を歯肉から歯の方向に制御するために、使用者が歯肉に対してガード６の端部をあてがわなければならない。使用者が、口の外部に位置するハンドルを回転させることにより、歯肉に対してガード６を押圧してブラシの回転の切替を制御する。使用者がハンドルを誤った方向に回転させ、ガード６が歯冠等、他の部分に接触してしまうと、ブラシは歯から歯肉という誤った方向に作動してしまう。さらに、グリンの歯ブラシのガード６は歯肉に反して配設されるため、歯肉の滑りやすい性質により元来不安定となっている。歯磨きの間、歯ブラシの安定性を維持する方法は、グリンの特許には開示されていない。
テイラーの米国特許第３，５１２，２０１号明細書においては、往復運動および回転運動を行うモーター歯ブラシが開示されており、ブラシの回転方向は口の外部で親指と人差し指でブラシのキャップを回すことにより決定する。
キーファー等の米国特許第３，６６１，０１８号明細書にて開示された電気歯ブラシは、ブラシの回転方向は口の外部でブラシハンドルに設置された３段階スイッチ４７を使用者の指でスライドさせることにより決定する。
コブランスキーの米国特許第３，８２９，９２２号明細書にて開示された電気歯ブラシは、ブラシの回転方向の切替はその第３図および第６図に図示されているように、常に特定位置にバネ止めされたガード４６の運動により作動する。ガード４６が正常休止位置にある時は、コブランスキーの歯ブラシは、常に、予め設定された方向に回転する。口の一部分、すなわち頬や歯肉に接触することにより、ガード４６の動きはブラシを逆回転させる。しかし、ガード４６は、外部からの力が加わらなければ正常位置に戻るようにバネ止めされているため、コブランスキーの歯ブラシが歯から歯肉線へと予定外の方向に回転してしまう虞がある。さらに、コブランスキーの歯ブラシには歯磨きの間、歯ブラシの安定性を維持する方法は開示されていない。
ストルツの米国特許第４，１４９，２９１号明細書にて開示された歯ブラシは、ブラッシングストロークの方向は、使用者が口の外部で指で操作するようハンドルに配設されたスイッチ９により制御される。ストルツの歯ブラシを上手に使用するには、使用者の練習を必要とし、また、誤った方向にブラッシングしてしまうリスクもある。
ストルツの米国特許第４，２２５，９９４号明細書にて開示された歯ブラシは、ブラッシング方向は歯ブラシのハウジングに応じたハンドル部の動きにより変化する。ストルツの歯ブラシを上手に使用するには、使用者の練習を必要とし、また、誤った方向にブラッシングしてしまうリスクもある。
リウの米国特許第４，３３５，４８０号明細書にて開示された歯ブラシは、ブラッシング方向を変更するために、使用者が口の外部のハンドルに積載されたスイッチ１８を手動操作しなければならない。リウの歯ブラシを上手に使用するには、使用者の練習を必要とし、また、誤った方向にブラッシングしてしまうリスクもある。
クッチアラの米国特許第４，３９７，０５５号明細書にて開示された歯ブラシは、ブラッシング方向を変更するために、使用者が口の外部に位置する歯ブラシハウジングの外部に積載された電気スイッチ１１を手動操作しなければならない。クッチアラの歯ブラシを上手に使用するには、使用者の練習を必要とし、また、誤った方向にブラッシングしてしまうリスクもある。
モスレーの米国特許第４，８４５，７９６号明細書にて開示された歯ブラシは、ブラッシング方向を制御するために、使用者が口の外部のハンドルに積載されたスイッチ３２を手動操作しなければならない。モスレーの歯ブラシを上手に使用するには、使用者の練習を必要とし、また、誤った方向にブラッシングしてしまうリスクも生じる。
従って、上下どちらの歯を磨くかによりブラシの回転方向を自動的に制御する回転ブラシを有する電気歯ブラシが必要となる。
本発明に係る電気歯ブラシは従来の電動歯ブラシの問題点を解消し、歯や歯肉上に付着した如何なる食物残骸をも歯肉から外方向にブラッシングするよう、上下どちらの歯を磨いているかにより、ブラシの回転方向が自動的に制御される電動回転ブラシを提供することである。本発明に係る歯ブラシは、口の内部の上下の歯の間に配設される方向制御器を利用する。方向制御器は、ブラシの回転方向を制御し、歯磨き作用の間、歯との関係にて歯ブラシを安定させる。方向制御器の動きにより逆転スイッチが作動し、ブラシの回転方向を歯肉から歯へと希望通りの方向に変更する。回転方向を変更するためにブラシを口の外に出す必要はなく、一度歯ブラシが口に挿入されると、実質的に清掃作用は間断なく行われる。
歯に相対する方向制御器の位置は、口内部で上歯あるいは下歯を磨くための歯ブラシの動きにより変化する。切替操作は自動となっており、スイッチを手動で操作する必要はない。ブラシの回転は、回転方向を変更する切替機構を有する二方向モータにより制御できる。この切替は方向制御器の動きに従い作動する。また、一方向モータもブラシの回転に使用でき、後退ギアを有するギア組立体もブラシの回転方向を変えることに使用できる。方向制御器の機械装置は、直接ギアを入れ替えてブラシの回転方向を転換させる。
本発明に係る電気歯ブラシの使用中に、使用者は歯ブラシを口の中に入れ、方向制御器を上歯と下歯の間に配置させる。使用者が方向制御器を歯の間に保持したまま歯ブラシを口の上側へ押すと、ブラシは歯肉から歯の方向へ回転する。使用者が下の歯を磨こうとすると、方向制御器はそのままでブラシが下の歯の方へ移動する。方向制御器が上下の歯の間で水平位置になるとブラシの回転が停止する。歯冠を磨くために、制御器を頬側か口腔内に配置できる。
【図面の簡単な説明】
第１図は、本発明の実施例に係る電気歯ブラシの側面図である。
第２図Ａは、方向制御器が水平中立位置に、回転ブラシが静止位置にある時の、本発明の実施例に係る電気歯ブラシに用いられ電気部品、モータ、ギア組立体を示す略図である。
第２図Ｂは、回転ブラシが人の上歯を磨く作動位置にある場合の、本発明の実施例に係る電気歯ブラシの方向制御器と逆回転スイッチとの相互作用を示す略図である。
第２図Ｃは、回転ブラシが人の下歯を磨く作動位置にある場合の、本発明の実施例に係る電気歯ブラシの方向制御器と逆回転スイッチとの相互作用を示す略図である。
第３図は、患者の歯に隣接して配置された場合の、方向制御器は中立位置に、回転ブラシは静止位置にある状態における、本発明の実施例に係る電気歯ブラシの回転ブラシの第１図の線３−３についての側面図である。
第４図は、患者の歯に使用される場合の、方向制御器は患者の上歯を磨く作動位置に、回転ブラシは矢印Ａの方向に回転した状態における、本発明の実施例に係る電気歯ブラシの回転ブラシの第１図の線３−３についての側面図である。
第５図は、患者の歯に使用される場合の、方向制御器は患者の下歯を磨く作動位置に、回転ブラシは矢印Ａの方向に回転した状態における、本発明の実施例に係る電気歯ブラシの回転ブラシの第１図の線３−３についての側面図である。
発明を実施するための最良の形態
次に、本発明の好適な実施形態を記載する。ただし、この記載は制限する意味ではなく、単に本発明の一般的概念に関し記載する目的に基づいている。本発明の範囲はクレームに関して決定される。
第１図において、電気歯ブラシ１０は、ハンドル１２、柄１４、ブラシガード１６および回転ブラシ１８から成る。ハンドル１２と柄１４は、耐久性を有するプラスチック成型品から成る完全な単体に形成するのが望ましい。電気歯ブラシ１０は２体に分割でき、従来の留め金嵌合固定装置等この分野において公知のものにより内部部品を挿入した後、連結できる。ハンドル１２は、電源２２により動力供給される、逆回転可能な電気モータ２０を包含する（第２図Ａ参照）。電源２２は、交換および再充電可能なバッテリーでよいが、それは本発明において電源２２が従来の１２０Ｖ、６０ｈｚの居住電力等、電力の整流がなされた交流電力源であることを踏まえた上でのことであることに着目しなければならない。電源は、従来から使用されている壁ソケットに接続され、この分野において公知の回路構成を使用して整流された電気ケーブルを介して電気歯ブラシ１０に伝達される。
電源２２は、逆転スイッチ２４を介して電気モータ２０に電気的に結合する。後述するように、逆転スイッチ２４は３つの独立位置を備えている。すなわち、電気モータ２０が電源２２により切り離されている、第２図Ａに記載の中立スイッチ位置；電源２２の陽極（＋）と陰極（−）がモータ端末２６および２８とそれぞれ電気的に結合し、その結果、電気モータ２０が第一回転方向に回転する、第２図Ｂに記載の第一スイッチ位置；そして、電源２２の陽極（＋）と陰極（−）がモータ端末２８および２６とそれぞれ電気的に結合し、その結果、電気モータ２０が第一回転方向と反対の第二回転方向に回転する、第２図Ｃに記載の第二スイッチ位置である。
第２図Ａの略図に記載されているように、ギア組立体３２は、回転およびトルクをモータシャフト３０から回転ブラシ駆動シャフト３４（以下、シャフト３４と示す）へ移行する。ギア組立体３２は、減速歯車として機能し、直列歯スプールギア装置にギア３６、３８、４０、４２を備えている。モータシャフト３０に積載されたギア３６は、定法に従って、ギア３８、４０、シャフト３４に積載されたギア４２を順々に接続する。ギア３６と３８、ギア４２と４０の直径の比率は３対１が望ましい。それにより、モータシャフト３０からシャフト３４への全体の回転速度を９対１に減少する。この方法において、高速低トルクのモータは、ギアダウンし、電気歯ブラシ１０の低電力作動が可能となる。ただし、ギア比率やギア構成が異なっても、低電力高トルク作用に適するものがある。
第１図に記載されているように、ブラシガード１６内に配置される回転ブラシ１８はシャフト３４に設置されている。回転ブラシ１８は、たいてい円筒型をしており、ブラシガード端部４４と４６の間に伸張している。ブラシガード１６は、部分的に開いて回転ブラシ１８を覆い、それにより磨く歯と正しく接続するためにブラシの表面が十分に露出している。ブラシガード１６は、電気歯ブラシ１０が歯を磨くために口の中に準備されると、回転ブラシ１８が口の内頬部に接触するのを防ぐように構成されている。回転ブラシ１８は、シャフト３４に固定できるが、その際、押し込みあるいは周知の機械的付着により行うことが望ましい。
ブラシガード端部４６は、シャフト３４を通す環状軸受表面４８を含み、それを介して、磨く歯に対して作用が促進される回転ブラシ１８を支える。シャフト３４は、軸受表面４８にジャーナル化され、それにより、シャフト３４により決定した回転固定軸の外周を回転ブラシ１８が回転する。
方向制御器５０は、ブラシガード端部４６と逆転スイッチ２４との間のシャフト３４上に回転可能な状態で積載されている。方向制御器５０は、空洞かつ本質的に円筒状の部分５２を包含し、それを介してシャフト３４が伸張する。方向制御器５０の末端部は、周知の技術を利用してガード端部４６に積載できる。例えば、ガード端部４６の内周面は、回転スリップ嵌合装置内の方向制御器５０の末端部に接合環状凹部を備えるための押圧環状填め込み部を備えることができる。円筒部５２は柄１４を通じて伸張し、逆転スイッチ２４との隣接面端部に配設されている。方向制御器５０は、ブラシ外周面５６全体に近接して伸張するレッジ（出っ張り）５４を有する。レッジ５４は、人の上下の歯の間に嵌合するようにデザインされており、歯冠６２、６６と接触する。レッジ５４が歯冠６２、６６に接触すると、レッジ５４は時計回りあるいは反時計回りにそれぞれ回転できるようになっている。レッジ５４は、ブラシの回転方向を制御することに加え、使用者の上下の歯冠６２、６６の間に配設されるため、歯に対して回転ブラシ１８を安定させる役割をも備えている。スイッチ２４は、作動に対し僅かな抵抗力を有し、レッジ５４が場合により時計回りあるいは反時計回りのどちらかに動かされなければ、固定されたまま保持される。第３図、第４図、第５図には、方向制御器５０の作動が示されている。レッジ５４が中立位置にある第３図において、上歯５８の歯冠６２と下歯６０の歯冠６６との間を水平に伸張する。この位置において、逆転スイッチ２４は電気モータ２０を電源２２から切り離す。従って、電気モータ２０の電源は切り離されされ、回転ブラシ１８は回転しない。
第４図において、電気歯ブラシ１０は、上歯５８を磨くために中立位置から上方へ移動する。その際、レッジ５４は上歯５８の歯冠６２と接触し、第一位置に配置されたスイッチ２４の僅かな抵抗に反して反時計回りに回転し、それにより電気モータ２０の電源を入れて回転ブラシ１８を反時計回りに回転させる（第２図Ｂ参照）。第３図に示されているように、回転ブラシ１８の反時計回りの回転により汚染物質が歯肉６４から払い落とされるが、これはこれらの汚染物質が歯肉６４の下に払われるのではなく歯肉から払い落とされるということである。
同様に、第５図において、電気歯ブラシ１０は下歯６０を磨くために中立位置から下方へ移動する。その際、レッジ５４は下歯６０の歯冠６６と接触し、それにより時計回りに回転してスイッチ２４を第二位置に配置する（第２図Ｃ参照）。その結果、電気モータ２０の電源が入り、回転ブラシ１８を時計回りに回転させる。こうして汚染物質は歯肉６８から払い落とされるが、これは、歯肉６８の下に払われるのではないことを明記する。図示されていないが、歯５８、６０を磨く際、ブラシガード１６が回転ブラシ１８が口の内頬部分に接触しないように防御することも評価できる点である。従って、レッジ５４は回転ブラシ１８の回転方向を制御するために、電気歯ブラシ１０に必要なフィードバックを提供している。
第２図Ａ〜Ｃに関し、モータ１０の回転方向を制御するための、方向制御器５０とスイッチ２４との相互作用が理解できる。より特定すると、第２図Ａに示されているように、レッジ５４は中立位置に配置されている。方向制御器円筒部５２は一対の電気接点７０、７２に結合される（点線で図示）。この位置において、電気接点７０、７２はそれぞれ接触パッド７１、７３と電気接触をすることに制限されている（接触パッド７１と７３はそれぞれ電源の陽極と陰極に結合されている）。この位置において、電源２２と電気モータ２０との間に開回路が形成され、電気モータ２０は電源から切り離される。
上述のように、電気歯ブラシ１０が上歯５８を磨くために上方に移動すると、レッジ５４は反時計回りに回転し、それにより電気接点７０と７２を電気接触パッド７４と７６にそれぞれ接続する。従って、電源の陽極は、接触パッド７１、電気接点７０、接触パッド７４を包含する電気路を介してモータ端末２６に電気的に結合する。同様に、電源の陰極は、接触パッド７３、電気接点７２、接触パッド７６を包含する電気回路を介してモータ端末２９に電気的に結合する。極設定の時点で、電気モータ２０は回転して回転ブラシ１８を反時計方向に回転させる。
同様に、電気歯ブラシ１０が下歯６０を磨くために下方移動すると、レッジ５４は時計回りに回転し、それにより電気接点７０と７２を電気接触パッド７８と８０にそれぞれ接続する。従って、電源の陽極は、接触パッド７１、電気接点７１、接触パッド７８を包含する電気回路を介してモータ端末２８に電気的に結合する。同様に、電源の陰極は、接触パッド７３、電気接点７２、接触パッド８０を包含する電気回路を介してモータ端末２６に電気的に結合する。極設定の時点で、電気モータ２０は回転して回転ブラシ１８を時計方向に回転させる。電気接点および接触パッドは、アークに対する耐久性を備えるために非腐食性金属から成るか、それで塗布することが望ましい。
上述の電気歯ブラシの実施例の代替として、逆転スイッチ２４は電気モータ２０を作動させるために使用される方向制御器５０に接続する外部磁石から成るものでも良い。この代替実施例は、外部磁石はハンドル１２の表面に設置され、２つの磁気リードスイッチはハンドル１２内に配置される。磁気リードスイッチは、方向制御器５０が外部磁石を作動させ、一方の磁気リードスイッチに隣接させる際に電気モータ２０を一方向に回転させるためにハンドル１２の内部に設置されている。方向制御器５０が外部磁石を他方の磁気リードスイッチに隣接させた場合、電気モータ２０は逆方向に回転する。外部磁石が２つの磁気リードスイッチの間に設置された場合、両方の磁気スイッチは作動せず、電気モータ２０は静止する。ハンドル１２の表面の外部磁石は、磁気リードスイッチがハンドル１２内にシールされるにつれて電気歯ブラシ１０の防水機能を高める。
二方向電気モータの代わりに単向性のモータも利用でき、また、ブラシの回転方向がこの技術分野にて周知の、前進および後退ギアを有するギア組立体により変更できることも評価できる点である。これらのギア組立体の後退ギアの接続は、方向制御器５０の位置により調節される。例えば、ブラシの回転方向を変更するために、ハンドル内の連結ギアの後退および前進ギアを移動させるために方向制御器５０の位置が適用される。
本発明は、特定の実施例により記載されているが、当業者により本発明の範囲内で多くの変形形態もなされ得る。
【図１】
0003714965.tif 000002
【図３】
0003714965.tif 000003
【図４】
0003714965.tif 000004
【図５】
0003714965.tif 000005
【図２Ａ】
0003714965.tif 000006
【図２Ｂ】
0003714965.tif 000007
【図２Ｃ】
0003714965.tif 000008